(57)【要約】      （修正有）【課題】略一定の検出感度による近接検出を可能にした電子ビューファインダを提供する。【解決手段】撮像装置に着脱可能な電子ビューファインダ４００は、撮像装置に対して回転可能な接眼光軸と、検出光を反射光及び透過光に分割するダイクロイックミラー４０６と、反射光を接眼光軸と略平行に導く可動ミラー４０７と、接眼光軸の回転角を検出する角度検出器４０９と、を有し、撮像装置は、角度検出器４０９によって検出された回転角に基づいて、検出光の強度、受光手段の受光感度、または、閾値の少なくともいずれか一つを変更することを特徴とする。【選択図】図４
2019179051.tif 000002
【特許請求の範囲】
【請求項１】
撮像装置（２００）及び前記撮像装置に着脱可能な電子ビューファインダ（４００）を有する撮像システムであって、
前記撮像装置は、
光学ビューファインダ（２１０）と、
検出光を発光する発光手段（２３０１）と、
前記撮像装置の外の対象物（３００）により反射された前記検出光を受光する受光手段（２３０２）と、
前記受光手段による受光結果が所定の閾値に基づいて、前記対象物が前記光学ビューファインダに近接しているか否かを判定する近接判定手段と、
を有し、
前記電子ビューファインダは、
前記撮像装置に対して回転可能な接眼光軸と、
前記検出光を反射光及び透過光に分割する光路分割手段（４０６）と、
前記反射光を前記接眼光軸と平行に導く導光手段（４０７）と、
前記接眼光軸の回転角を検出する角度検出手段と、
を有し、
前記撮像装置は、前記角度検出手段（４０９）によって検出された前記回転角に基づいて、前記検出光の強度、前記受光手段の受光感度、または、前記閾値の少なくともいずれか一つを変更する制御手段を有することを特徴とする撮像システム。
【請求項２】
前記導光手段は、前記回転角に応じて回転するミラーであることを特徴とする請求項１に記載の撮像システム。
【請求項３】
前記光路分割手段は、ダイクロイックミラー、偏光ビームスプリッタ、ハーフミラーのいずれかであることを特徴とする請求項１又は請求項２に記載の撮像システム。
【請求項４】
電子ビューファインダを着脱保持可能な撮像装置であって、
前記撮像装置は、
光学ビューファインダと、
検出光を発光する発光手段と、
前記撮像装置の外の対象物により反射された前記検出光を受光する受光手段と、
前記受光手段による受光結果が所定の閾値に基づいて、前記対象物が前記光学ビューファインダに近接しているか否かを判定する近接判定手段と、
を有し、
前記電子ビューファインダは、
前記撮像装置に対して回転可能な接眼光軸と、
前記検出光を反射光及び透過光に分割する光路分割手段と、
前記反射光を前記接眼光軸と平行に導く導光手段と、
前記接眼光軸の回転角を検出する角度検出手段と、
を有し、
前記撮像装置は、前記角度検出手段によって検出された前記回転角に基づいて、前記検出光の強度、前記受光手段の受光感度、または、前記閾値の少なくともいずれか一つを変更する制御手段を有することを特徴とする撮像装置。
【請求項５】
撮像装置に着脱可能であり、かつ、前記撮像装置に対して回転可能な接眼光軸を有する電子ビューファインダであって、
前記撮像装置は、
光学ビューファインダと、
検出光を発光する発光手段と、
前記撮像装置の外の対象物により反射された前記検出光を受光する受光手段と、
前記受光手段による受光結果が所定の閾値に基づいて、前記対象物が前記光学ビューファインダに近接しているか否かを判定する近接判定手段と、
を有し、
前記電子ビューファインダは、
前記検出光を反射光及び透過光に分割する光路分割手段と、
前記反射光を前記接眼光軸と平行に導く導光手段と、
前記接眼光軸の回転角を検出する角度検出手段と、
を有し、
前記撮像装置は、前記角度検出手段によって検出された前記回転角に基づいて、前記検出光の強度、前記受光手段の受光感度、または、前記閾値の少なくともいずれか一つを変更する制御手段を有することを特徴とする電子ビューファインダ。
【発明の詳細な説明】
【技術分野】
【０００１】
本発明は、一眼レフカメラ等の撮像装置、ファインダ、その制御方法及びプログラムに関する。
【背景技術】
【０００２】
光学ビューファインダ、及び、背面表示部を有する一眼レフカメラ等の撮像装置には、撮像装置の外の対象物と光学ビューファインダとの近接状態を検出する近接検出システムが搭載されているものがある。近接検出システムにより、例えばユーザが光学ビューファインダを覗いている場合には、近接状態であると判定し、背面表示部を非表示にすることで省電力を実現している。
【０００３】
また、撮像装置に着脱可能であり、かつ、撮像装置に対して接眼光軸が回転可能な電子ビューファインダには、近接検出システムに用いられる発光素子及び受光素子を搭載したものがある。発光素子及び受光素子は、電子ビューファインダの接眼窓付近に設けられ、接眼光軸の回転に追従して移動する。撮像装置は、このような発光素子及び受光素子を用いることにより、対象物と電子ビューファインダとの近接状態を検出する。
【０００４】
特許文献１には、電子ビューファインダの接眼光軸の回転角度に応じて発光素子の光強度等を制御することにより、撮像装置本体に固定された発光素子及び受光素子により近接検出システムを実現する技術が開示されている。
【先行技術文献】
【特許文献】
【０００５】
【特許文献１】特開２０１１−１６４３１４号公報
【発明の概要】
【発明が解決しようとする課題】
【０００６】
特許文献１に開示された従来技術を用いることにより、電子ビューファインダに発光素子及び受光素子を搭載することなく、撮像装置の近接検出システムのみで電子ビューファインダの近接検出機能を実現することができるため、コストの増大を抑制できる。
【０００７】
しかしながら、特許文献１に開示された従来技術では、電子ビューファインダの接眼光軸の回転角度に応じて発光素子の光強度等を制御するのみであるため、光学ビューファインダの近接検出機能の検出感度が一定ではなくなる課題がある。その結果、誤検出の発生頻度が増すおそれがある。
【０００８】
そこで、本発明は、コストの増大を抑制しつつ、略一定の検出感度により光学ビューファインダ及び電子ビューファインダの近接検出を可能とすることを目的とする。
【課題を解決するための手段】
【０００９】
上記の目的を達成するために、本発明に係る撮像システムは、
撮像装置及び前記撮像装置に着脱可能な電子ビューファインダを有し、前記撮像装置は、光学ビューファインダと、検出光を発光する発光手段と、前記撮像装置の外の対象物により反射された前記検出光を受光する受光手段と、前記受光手段による受光結果が所定の閾値に基づいて、前記対象物が前記光学ビューファインダに近接しているか否かを判定する近接判定手段と、を有し、前記電子ビューファインダは、前記撮像装置に対して回転可能な接眼光軸と、前記検出光を反射光及び透過光に分割する光路分割手段と、前記反射光を前記接眼光軸と略平行に導く導光手段と、前記接眼光軸の回転角を検出する角度検出手段と、を有し、前記撮像装置は、前記角度検出手段によって検出された前記回転角に基づいて、前記検出光の強度、前記受光手段の受光感度、または、前記閾値の少なくともいずれか一つを変更する制御手段を有することを特徴とする。
【発明の効果】
【００１０】
本発明によれば、コストの増大を抑制しつつ、略一定の検出感度での光学ビューファインダ及び電子ビューファインダの近接検出を可能とすることにより、誤検知の少ない近接検出を可能とする。これにより、電子ビューファインダ及び背面表示部の表示の制御を適切に行うことができ、省電力及びユーザビリティ向上を実現した撮像システムを提供することが可能である。
【図面の簡単な説明】
【００１１】
【図１】実施形態に係るカメラ内部の概略構成を示す図である。
【図２】カメラ後方から見た近接検出ユニット付近の外観図である。
【図３】ＥＶＦ未装着時の近接検出システムの説明図である。
【図４】ＥＶＦの概略構成を示す図である。
【図５】ＥＶＦ装着時（θ＝０）の近接検出システムの説明図である。
【図６】ＥＶＦ装着時（θ≠０）の近接検出システムの説明図である。
【図７】ＥＶＦ接眼光軸の角度に対する発光強度制御の例を示す図である。
【図８】撮影動作を示すフローチャートである。
【発明を実施するための形態】
【００１２】
以下、添付図面を参照して、本発明の好適な実施形態について説明する。
【００１３】
図１は、本実施形態に係る撮像システムを構成する一眼レフカメラ（以下、カメラという）内部の概略構成を示す図である。
【００１４】
図１に示すように、カメラ２００には、レンズユニット１００がマウント部のレンズ装着機構を介して着脱可能に取り付けられる。マウント部には、電気接点ユニット１０４が設けられている。カメラ２００は、レンズユニット１００と電気接点ユニット１０４を介して通信を行い、レンズユニット１００内のフォーカスレンズ１０１を制御する。なお、図１には、レンズユニット１００内のレンズとしてフォーカスレンズ１０１のみを示しているが、この他に変倍レンズや固定レンズが設けられる場合がある。
【００１５】
被写体からの光束は、レンズユニット１００を介してカメラ２００内のメインミラー２０１に導かれる。メインミラー２０１は、撮影光路内に光軸に対して斜めに配置されて、被写体からの光束を上方の光学ビューファインダ（以下、ＯＶＦという）２１０に導く第１の位置（図示した位置）と、撮影光路外に退避する第２の位置とに移動が可能である。
【００１６】
メインミラー２０１の中央部はハーフミラーになっており、メインミラー２０１が第１の位置の状態であるときには、被写体からの光束の一部が該ハーフミラー部を透過する。ハーフミラー部を透過した光束は、メインミラー２０１の背面側に設けられたサブミラー２０２で反射し、焦点検出装置２０３に導かれる。
【００１７】
一方、メインミラー２０１で反射した光束は、ＯＶＦ２１０に導かれる。ＯＶＦ２１０は、焦点検出板２１０１、ＯＶＦ視野枠２１０２、ＯＶＦ内表示部２１０３、ペンタプリズム２１０４、ＯＶＦ接眼レンズ２１０５、及び、ＯＶＦ接眼枠２１０６により構成される。メインミラー２０１で反射した光束は、撮像センサ２２４と光学的に共役な位置に配置された焦点検出板２１０１上に一次結像する。焦点検出板２１０１で拡散されて透過した光（被写体像）は、ＯＶＦ視野枠２１０２を通過し、ＯＶＦ内表示部２１０３を透過し、ペンタプリズム２１０４によって正立像に変換される。正立像は、ＯＶＦ接眼レンズ２１０５によって拡大され、接眼枠２１０６を覗いた撮影者により観察される。
【００１８】
ＯＶＦ視野枠２１０２は、焦点検出板２１０１の近傍に配置されており、焦点検出板２１０１で拡散されて透過した光の周辺部を遮光することによって撮像センサ２２４で撮像される領域を撮影者に視認させる。
【００１９】
ＯＶＦ内表示部２１０３は、焦点検出板２１０１の近傍に配置されており、焦点検出領域や絞り値やシャッタ速度等、カメラの各種撮影情報を表示し、これらの情報を被写体像に重畳させて接眼枠２１０６を覗いている撮影者に提示する。
【００２０】
焦点検出板２１０１で拡散されて透過した光の一部は、測光レンズ２２１を透過し、測光センサ２２２上に二次結像して、測光センサ２２２が受光する。
【００２１】
メインミラー２０１が第２の位置にアップした際には、サブミラー２０２もメインミラー２０１に対して折り畳まれて撮影光路外に退避する。これにより、レンズユニット１００からの光束は、機械シャッタであるフォーカルプレーンシャッタ２２３を通過し、撮像センサ２２４に至る。フォーカルプレーンシャッタ２２３は、撮像センサ２２４に入射する光量を制限する。撮像センサ２２４は、電気信号を出力するＣＣＤセンサやＣＭＯＳセンサ等の光電変換素子により構成され、レンズユニット１００により形成された被写体像を光電変換して画像を生成する。
【００２２】
カメラ２００は、カメラ全体の制御を司るＣＰＵ２２５を有する。ＣＰＵ２２５は、電気接点ユニット１０４を介して、レンズユニット１００内のレンズ制御回路１０３と通信を行う。レンズ制御回路１０３は、ＣＰＵ２２５からの信号に応じてレンズ駆動機構１０２を制御し、フォーカスレンズ１０１を光軸方向に駆動してピント合わせを行う。レンズ駆動機構１０２は、ステッピングモータを駆動源として有する。
【００２３】
また、ＣＰＵ２２５には、記憶手段であるＥＥＰＲＯＭ２２６が接続されている。ＥＥＰＲＯＭ２２６は、カメラを制御する上で調整が必要なパラメータや、カメラ個体の識別を行うための固有の情報であるカメラＩＤ（識別）情報や、カメラの製造工程において取得された撮影に関するパラメータの調整値等を記憶している。
【００２４】
また、ＣＰＵ２２５には、撮影者が意思をカメラに伝えるための不図示の操作検出部が接続されている。操作検出部は、レリーズボタンや選択ボタン等の操作を検出する。
【００２５】
背面表示部２２７は、撮像センサ２２４で撮像された画像や撮影者が設定する項目等を表示するための表示装置であり、一般にはカラーの液晶表示素子により構成される。ＣＰＵ２２５に接続される不図示の表示制御部は、背面表示部２２７、ＯＶＦ内表示部２１０３の表示を制御する。
【００２６】
後述する近接検出ユニット２３０及びアクセサリベース２４０は、不図示の電気接点及び接続線によりＣＰＵ２２５に接続されている。
【００２７】
図２は、カメラ後方から見た近接検出ユニット付近の外観図である。
【００２８】
近接検出ユニット２３０は、発光素子２３０１、受光素子２３０２及び遮光板２３０３により構成される。ＣＰＵ２２５の制御により発光素子２３０１は赤外域の波長の検出光を発光する。検出光は、カメラ２００の外の後述する対象物３００で反射され、その反射光は、受光素子２３０２により受光される。遮光板２３０３は、発光素子２３０１から射出した検出光を受光素子２３０２が直接受光しないように遮光する。
【００２９】
図３は、ＥＶＦ未装着時の近接検出システムの説明図である。
【００３０】
対象物３００は、所定の反射率であり、かつ、入射光に関係なく全方向に均一な強度で入射光を拡散反射するものとする。ＥＶＦ未装着時の発光素子２３０１の発光強度をＰ０とし、受光量をＥとする。発光素子２３０１から対象物３００までの距離Ｄが、Ｄ≦Ｄ０の場合に近接判定され、Ｄ＞Ｄ０の場合に近接判定されないように設計され、製造工程において、判定の閾値が調整される。また、Ｄ＝Ｄ０のときのＯＶＦ接眼枠２１０６から対象物３００までの距離をＤ’０とし、受光素子２３０２の受光量をＥ０とする。
【００３１】
図４は、ＥＶＦの概略構成を示す図である。図４（ａ）は内部の断面図であり、図４（ｂ）は外観の側面図である。
【００３２】
ＥＶＦ４００は、ＥＶＦベース４０１によって、カメラ２００のアクセサリベース２４０に着脱可能に取り付けられ、かつ、電気接続される。ＥＶＦ内表示部４０２は、カラーの液晶表示素子により構成されており、ＣＰＵ２２５の制御に基づいて画像を表示する。ＥＶＦ内表示部４０２の画像は、ＥＶＦ接眼レンズ４０３により拡大され、ＥＶＦ接眼枠４０４を覗いている撮影者に観察される。ＥＶＦ接眼レンズ４０３の光軸を、ＥＶＦ接眼光軸という。ＥＶＦヘッド４０５は、ＥＶＦ内表示部４０２、ＥＶＦ接眼レンズ４０３及びＥＶＦ接眼枠４０４により、構成され、撮影者が手動で回転させることができる。
【００３３】
ダイクロイックミラー４０６は、発光素子２３０１から射出した検出光のうち、低波長側を透過し、高波長側を反射する。ダイクロイックミラー４０６により透過された検出光は、対象物３００で拡散反射され、ダイクロイックミラー４０６を再び透過し、受光素子２３０２に受光される。ダイクロイックミラー４０６により反射された検出光は、可動ミラー４０７により反射され、ＥＶＦ接眼光軸と略平行に進行し、対象物３００で拡散反射される。その後、対象物３００で拡散反射された光は、可動ミラー４０７及びダイクロイックミラー４０６により再び反射され、受光素子２３０２に受光される。
【００３４】
ギア４０８は、撮影者がＥＶＦヘッド４０５を回転させる際の動力を可動ミラー４０７に伝達し、可動ミラー４０７を回転させる。可動ミラー４０７の回転方向は、ＥＶＦヘッド４０５と同方向であり、かつ、可動ミラー４０７の回転角は、ＥＶＦヘッド４０５の回転角かつＥＶＦ接眼光軸の回転角θの１／２である。可動ミラー４０７で反射された検出光を、ＥＶＦ接眼光軸と略平行とするためである。
【００３５】
ＥＶＦ角度検出器４０９は、ＥＶＦ接眼光軸の回転角θを検出し、ＣＰＵ２２５に回転角θの情報を送信する。
【００３６】
図５は、θ＝０のときのＥＶＦ装着時の近接検出システムの説明図である。
【００３７】
ｄ１は、発光素子２３０１からダイクロイックミラー４０６までの距離である。ｄ２は、ダイクロイックミラー４０６から対象物３００までの距離である。ｄ３は、ダイクロイックミラー４０６から可動ミラー４０７までの距離である。ｄ４は、可動ミラー４０７から対象物３００までの距離である。不図示のＤ１は、発光素子２３０１から発光され、ダイクロイックミラー４０６で透過した検出光（以下、透過検出光という。）が対象物３００に到達するまでの経路の合計の長さである。不図示のＤ２は、発光素子２３０１から発光され、ダイクロイックミラー４０６で反射した後に可動ミラー４０７で反射した検出光（以下、反射検出光という。）が対象物３００に至るまでの経路の合計の長さである。Ｄ’１は、ＯＶＦ接眼枠２１０６から対象物３００までの距離である。Ｄ’２は、ＥＶＦ接眼枠４０４から対象物３００までの距離である。Ｄ１及びＤ２は、以下の式で表される。
【００３８】
Ｄ１＝ｄ１＋ｄ２
Ｄ２＝ｄ１＋ｄ３＋ｄ４
ここで、受光素子２３０２の受光感度が一定の場合、検出光の発光強度に対する受光素子２３０２の受光量は、発光素子２３０１から対象物３００までの距離の２乗に反比例して減衰する。
【００３９】
次に、θ＝０のとき、ＥＶＦ装着時に、ＥＶＦ未装着時と同等の検出感度によりＯＶＦ及びＥＶＦの近接検出をするための方法について説明する。本実施形態では、発光素子２３０１の発光強度Ｐを制御することを一例として説明する。すなわち、Ｐを制御することにより、Ｄ’１＝Ｄ’２＝Ｄ’０のときに、受光量ＥがＥ＝Ｅ０となることを達成する。
【００４０】
まず、θ＝０、Ｄ’１＝Ｄ’２＝Ｄ’０のときの透過検出光と反射検出光の受光量が等しくなるように、透過率Ｄ１２／（Ｄ１２＋Ｄ２２）、反射率Ｄ１２／（Ｄ１２＋Ｄ２２）のダイクロイックミラー４０６を用いる。
【００４１】
θ＝０のときの発光強度ＰをＰ０とすると、Ｄ’１＝Ｄ’＝Ｄ’０となるときの受光量Ｅは以下の式で表される。
【００４２】
Ｅ＝Ｅ０×（Ｄ１２＋Ｄ０２）／（Ｄ１２＋Ｄ２２）
そのため、発光強度Ｐ及び発光ゲインｇを
Ｐ＝ｇ×Ｐ０
ｇ＝（Ｄ１２＋Ｄ２２）／（Ｄ１２＋Ｄ０２）
と制御すると、Ｅ＝Ｅ０となり、ＥＶＦ未装着時と同等の検出感度によりＯＶＦ及びＥＶＦの近接検出をすることができる。
【００４３】
図６は、θ≠０のときのＥＶＦ装着時の近接検出システムの説明図である。
【００４４】
図６（ａ）は、対象物３００がＯＶＦ接眼光軸に正対する場合の説明図であり、ＯＶＦの近接検出システムを示す。
【００４５】
ＥＶＦ装着時に、ＥＶＦ未装着時と同等の検出感度によりＯＶＦの近接検出をするために満たすべき条件は、Ｄ’１＝Ｄ’０のときに、受光量ＥがＥ＝Ｅ０となることである。θ＝０の場合と同様に、Ｄ１及びＤ２から、本条件を満たす発光ゲインｇ１を算出する。
【００４６】
図６（ｂ）は、対象物３００がＥＶＦ接眼光軸に正対する場合の説明図であり、ＥＶＦの近接検出システムを示す。
【００４７】
ＥＶＦ装着時に、ＥＶＦ未装着時と同等の検出感度によりＥＶＦの近接検出をするために満たすべき条件は、Ｄ’２＝Ｄ’０のときに、受光量ＥがＥ＝Ｅ０となることである。θ＝０の場合と同様に、Ｄ１及びＤ２から、本条件を満たす発光ゲインｇ２を算出する。
【００４８】
図７は、ＥＶＦ接眼光軸の角度に対する発光強度制御の例を示す図である。グラフの横軸は、ＥＶＦ接眼光軸の角度θであり、縦軸は、発光ゲインｇである。発光ゲインは、以下の式で表される。
【００４９】
ｇ＝ｇ１＋ｇ２
なお、Ｄ０＝７０ｍｍ、Ｄ’０＝６０ｍｍとし、また、θ＝０のとき、ｄ１＝５ｍｍ、ｄ２＝６５ｍｍ、ｄ３＝１０ｍｍ、ｄ４＝６５ｍｍとした。
【００５０】
上記の通りにパラメータ設定をし、かつ、発光強度Ｐを図７で示すｇを用いて制御すると、ＥＶＦ装着時に、ＥＶＦ未装着時とほぼ同等の検出感度によりＯＶＦ及びＥＶＦの近接検出をすることが可能となる。
【００５１】
ＥＶＦ装着時とＥＶＦ未装着時の検出感度の誤差は、上記のパラメータによって変化する。本実施形態では、後述する撮影モードに関わらず同じ発光ゲインｇを用いる場合について説明したが、検出感度の誤差が大きい場合には、撮影モードによって異なる発光ゲインｇを用いても良い。
【００５２】
図８は、撮影動作を示すフローチャートである。
【００５３】
ステップＳ０１で、カメラの電源がＯＮになると、ステップＳ０２に移る。カメラの電源がＯＮになるまで、ステップＳ０１が繰り返される。
【００５４】
ステップＳ０２で、ＣＰＵ２２５は、アクセサリベース２４０からの情報に基づいて、ＥＶＦ４００がカメラ２００に装着されているか否かを判定する。ＥＶＦ４００がカメラ２００に装着されている場合、ステップＳ０３に移る。一方、ＥＶＦ４００がカメラ２００に装着されていない場合、ステップＳ０４に移る。
【００５５】
ステップＳ０３で、ＥＶＦ角度検出器４０９は、ＥＶＦ接眼光軸の回転角θを検出する。ＥＶＦ角度検出器４０９によって検出されたＥＶＦ接眼光軸の回転角θの情報は、ＥＶＦベース４０１及びアクセサリベース２４０を経由して、ＣＰＵ２２５に送信される。ＥＶＦ接眼光軸の回転角θの情報がＣＰＵ２２５に送信されると、ステップＳ０４に移る。
【００５６】
ステップＳ０４で、ＣＰＵ２２５は、発光素子２３０１の発光強度Ｐを決定する。ＥＶＦ４００がカメラ２００に装着されている場合、ＣＰＵ２２５は、発光強度ＰをＰ＝ｇ×Ｐ０に決定する。ただし、発光ゲインｇは、ＣＰＵ２２５が受信したＥＶＦ接眼光軸の回転角θ、及び、ＥＥＰＲＯＭ２２６に保存された図７の曲線により決定される。一方、ＥＶＦ４００がカメラ２００に装着されていない場合、ＣＰＵ２２５は、発光強度ＰをＰ＝Ｐ０に決定する。発光強度Ｐが決定されると、ステップＳ０５に移る。
【００５７】
ステップＳ０５で、ＣＰＵ２２５は、撮影モードの判定をする。撮影者によって不図示の撮影モード変更ボタンが押されない場合、ＣＰＵ２２５は、ＯＶＦ撮影モードであると判定し、ステップＳ０６に移る。一方、撮影者によって不図示の撮影モード変更ボタンが押された場合、ＣＰＵ２２５は、ＬＶ（ライブビュー）撮影モードであると判定し、ステップＳ１０に移る。
【００５８】
ステップＳ０６で、背面表示部２２７は、各種撮影情報を表示する。背面表示部２２７が各種撮影情報を表示すると、ステップＳ０７に移る。
【００５９】
ステップＳ０７で、ＣＰＵ２２５は近接検出をする。検出光は、発光素子２３０１により発光強度Ｐで発光され、対象物３００で反射され、受光素子２３０２により受光される。受光素子２３０２による受光量Ｅが、閾値Ｅ０に対して、Ｅ≧Ｅ０の場合、ＣＰＵ２２５は近接状態であると判定し、ステップＳ０８に移る。一方、Ｅ＜Ｅ０の場合、ＣＰＵ２２５は近接状態でないと判定し、ステップＳ１６に移る。
【００６０】
ステップＳ０８で、背面表示部２２７は、非表示となる。背面表示部２２７が非表示となると、ステップＳ０９に移る。
【００６１】
ステップＳ０９で、ＯＶＦ内表示部２１０３は、各種撮影情報を表示する。ＯＶＦ内表示部２１０３が各種撮影情報を表示すると、ステップＳ１６に移る。
【００６２】
ステップＳ１０で、ＣＰＵ２２５の制御下、ミラーアップ動作が行われる。メインミラー２０１及びサブミラー２０２が第２の位置に退避すると、ステップＳ１１に移る。
【００６３】
ステップＳ１１で、背面表示部２２７は、撮像センサ２２４で撮像された画像、及び、各種撮影情報を表示する。背面表示部２２７が表示すると、ステップＳ１２に移る。
【００６４】
ステップＳ１２で、ステップＳ０２と同様に、ＣＰＵ２２５は、アクセサリベース２４０からの情報に基づいて、ＥＶＦ４００がカメラ２００に装着されているか否かを判定する。ＥＶＦ４００がカメラ２００に装着されている場合、ステップＳ１３に移る。一方、ＥＶＦ４００がカメラ２００に装着されていない場合、ステップＳ１６に移る。
【００６５】
ステップＳ１３で、ステップＳ０７と同様に、ＣＰＵ２２５は近接検出をする。Ｅ≧Ｅ０の場合、ＣＰＵ２２５は近接状態であると判定し、ステップＳ１４に移る。一方、Ｅ＜Ｅ０の場合、ＣＰＵ２２５は近接状態でないと判定し、ステップＳ１６に移る。
【００６６】
ステップＳ１４で、ステップＳ０８と同様に、背面表示部２２７は、非表示となる。背面表示部２２７が非表示となると、ステップＳ１５に移る。
【００６７】
ステップＳ１５で、ＥＶＦ内表示部４０２は、撮像センサ２２４で撮像された画像、及び、各種撮影情報を表示する。ＥＶＦ内表示部４０２が表示すると、ステップＳ１６に移る。
【００６８】
ステップＳ１６で、ＣＰＵ２２５は、撮影者によってレリーズボタンが半押しされたか（ＳＷ１がＯＮか）否かを判定する。レリーズボタンが半押しされた場合、ステップＳ１６に移る。一方、レリーズボタンが半押しされない場合、ステップＳ０５に移る。
【００６９】
ステップＳ１７で、ＣＰＵ２２５の制御のもと、焦点調整動作が行われる。焦点調整動作は、位相差検出方式により焦点検出装置２０３が取得した被写体像の出力信号に基づいて、被写体に対して自動的にフォーカスレンズ１０１を合焦位置に駆動することにより行われる。焦点調整動作が完了すると、ステップＳ１８に移る。
【００７０】
ステップＳ１８で、ＣＰＵ２２５の制御のもと、露出制御動作が行われる。露出制御動作は、測光センサ２２２が取得した被写体像の出力信号に基づいて、レンズユニット１００内の不図示の開口絞りの制御値、フォーカルプレーンシャッタ２０４のシャッタ速度制御値、または、撮像センサ２０５の受光感度等が設定される。露出制御動作が完了すると、ステップＳ１９に移る。
【００７１】
ステップＳ１９で、ＣＰＵ２２５は、撮影者によってレリーズボタンが全押しされたか（ＳＷ２がＯＮか）否かを確認する。レリーズボタンが全押しされたことを確認すると、ステップＳ２０に移る。レリーズボタンが全押しされたことが確認されるまで、ステップＳ１９が繰り返される。
【００７２】
ステップＳ２０で、ＣＰＵ２２５の制御のもと、撮影動作が行われる。ＣＰＵ２２５は、不図示のシャッタ制御部、絞り駆動部、撮像センサ制御部に各々信号を送信する。撮像センサ２０５はレンズユニット１００によって投影された被写体像を光電変換し、アナログ信号を出力する。撮像センサ２０５に出力されたアナログ信号は、不図示の撮像センサ制御部及び画像処理部により処理され、撮影画像が生成される。撮影動作が完了すると、カメラの全体フローは完了する。
【００７３】
以上のように、発光素子２３０１の発光強度Ｐを、ＥＶＦ接眼光軸の回転角θに応じて所定の制御をすることにより、コストの増大を抑制しつつ、略一定の検出感度により光学ビューファインダ及び電子ビューファインダの近接検出が可能である。
【００７４】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００７５】
例えば上記実施形態では、発光素子２３０１の発光強度Ｐを制御することにより、略一定の検出感度により光学ビューファインダ及び電子ビューファインダの近接検出することについて説明した。しかしながら、本発明はこれに限定されず、発光素子２３０１の発光強度Ｐではなく、受光素子２３０２の受光感度または受光量の判定の閾値Ｅ０を制御することによっても達成可能である。
【００７６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７７】
１００  レンズユニット、２００  カメラ、
２１０  光学ビューファインダ（ＯＶＦ）、２３０  近接検出ユニット、
２３０１  発光素子、２３０２  受光素子、３００  対象物、
４００  電子ビューファインダ（ＥＶＦ）、４０６  ダイクロイックミラー、
４０７  可動ミラー、４０９  角度検出器
【図１】
2019179051.tif 000003
【図２】
2019179051.tif 000004
【図３】
2019179051.tif 000005
【図４】
2019179051.tif 000006
【図５】
2019179051.tif 000007
【図６】
2019179051.tif 000008
【図７】
2019179051.tif 000009
【図８】
2019179051.tif 000010